(57)【特許請求の範囲】
【請求項１】
略直方体形状のケーシング（７０）の内部空間が仕切板（７８）によって左右に分割されることで送風機室（Ｓ１）及び機械室（Ｓ２）が形成されており、室内ユニット（９０）と接続されることによって冷媒回路（１０）を構成する室外ユニット（２０）であって、
圧縮機（２４）と、
室外熱交換器（２８）と、
前記圧縮機の吐出側と前記室外熱交換器の一端を接続する高圧ガス配管（２７）と、
前記高圧ガス配管から分岐しており、先端にサービスポート（８３）を有している分岐配管（８０）と、
少なくとも前記圧縮機の駆動を制御可能な電装品（７）と、
前記電装品に対するアクセスを可能にするように前記電装品に対向して設けられた電装品アクセス開口（７４ａ）を有しており、前記ケーシングの側面を構成している側板（７４）と、
を備え、
前記分岐配管の前記サービスポートは、前記電装品アクセス開口からアクセス可能な位置に配置されており、側面視において、前記電装品アクセス開口の枠内であって、前記電装品（７）よりも手前側に位置しており、
前記サービスポートは、前記電装品（７）側の向きとは異なる向きであって、下方もしくは斜め下方の向きに開口した部分（８３ａ）を有している、
室外ユニット（２０）。
【請求項２】
前記高圧ガス配管は、前記分岐配管の分岐部分近傍が前記電装品アクセス開口近傍に位置するように、前記側板に沿って延びた部分を有している、
請求項１に記載の室外ユニット（２０）。
【請求項３】
前記高圧ガス配管のうち前記側板に沿って延びた部分と前記側板との間に介在する緩衝部材（８８）をさらに備えた、
請求項２に記載の室外ユニット（２０）。
【請求項４】
前記高圧ガス配管は、前記分岐配管の分岐部分近傍において水平方向に延びている部分（２７）ａを有しており、
前記分岐配管は、前記高圧ガス配管が水平方向に延びている部分（２７ａ）の上壁から鉛直上方に向けて分岐して延びた鉛直配管部分（８１）を有している、
請求項１から３のいずれか１項に記載の室外ユニット（２０）。
【発明の詳細な説明】
【技術分野】
【０００１】
本発明は、室外ユニットに関する。
【背景技術】
【０００２】
従来より、空気調和装置の室外ユニットには、冷媒圧力の測定や冷媒の追加充填等のために冷媒配管の一部から分岐させたサービスポートが設けられていることが知られている。
【０００３】
例えば、特許文献１に記載の空気調和装置の室外ユニットでは、圧縮機や電装品が設けられている機械室において、前面側の側板に近い位置にサービスポートが設けた例を開示している。
【０００４】
しかも、この特許文献１に記載のサービスポートは、冷媒回路のうち、圧縮機の吐出側と室外熱交換器の間の部分から分岐するようにして設けられている。
【特許文献１】特開２００８−２９８３４４号公報
【発明の開示】
【発明が解決しようとする課題】
【０００５】
上述のような特許文献１に示された空気調和装置の室外ユニットでは、サービスポートが圧縮機の吐出側と室外熱交換器の間から分岐するようにして設けられることで、室外熱交換器を通過して圧力が減衰する前の圧縮機から吐出される冷媒の圧力を測定することが可能になっている。
【０００６】
ところが、上記サービスポートは、電装品の下方に配置されており、試運転やメンテナンス時には、サービスポートにアクセスするために、室外ケーシングの右前板全体を取り外す作業が必要になっている。
【０００７】
本発明は上述した点に鑑みてなされたものであり、本発明の課題は、圧縮機から吐出される冷媒の圧力を測定する場合において、サービスポートに対するアクセス性を向上させることが可能な室外ユニットを提供することにある。
【課題を解決するための手段】
【０００８】
第１観点に係る室外ユニットは、略直方体形状のケーシングの内部空間が仕切板によって左右に分割されることで送風機室および機械室が形成されており、室内ユニットと接続されることによって冷媒回路を構成する室外ユニットであって、圧縮機と、室外熱交換器と、高圧ガス配管と、分岐配管と、電装品と、側板を備えている。高圧ガス配管は、圧縮機の吐出側と室外熱交換器の一端を接続している。分岐配管は、高圧ガス配管から分岐しており、先端にサービスポートを有している。電装品は、少なくとも圧縮機の駆動を制御することが可能である。側板は、電装品に対するアクセスを可能にするように電装品に対向して設けられた電装品アクセス開口を有しており、ケーシングの側面を構成している。分岐配管のサービスポートは、電装品アクセス開口からアクセス可能な位置に配置されており、側面視において、電装品アクセス開口の枠内であって、電装品よりも手前側に位置している。サービスポートは、電装品側の向きとは異なる向きであって、下方もしくは斜め下方の向きに開口した部分を有している。
【０００９】
なお、アクセス可能とは、特に限定されないが、例えば、人間の手が到達できる構造であること、もしくは、工具を用いた作業が可能な構造であること等が含まれる。
【００１０】
この室外ユニットでは、サービスポートを有する分岐配管が、圧縮機の吐出側から室外熱交換器の一端まで延びている高圧ガス配管の一部から分岐するように設けられている。このため、サービスポートを用いて圧縮機から吐出される冷媒の圧力を測定することが可能になっている。そして、このようにサービスポートを用いた作業を行う場合には、電装品アクセス開口を介して、サービスポートにアクセスすることができ、室外ユニットの側板を取り外す必要が無い。以上により、室外ユニットの側板を取り外すことなく、室外熱交換器を通過する前の圧縮機の吐出冷媒の圧力を測定することが可能になる。
【００１１】
また、この室外ユニットでは、サービスポートを利用して作業を行う時に、電装品に対して冷凍機油等が飛散してしまうことを抑制することが可能になる。
【００１２】
第２観点に係る室外ユニットは、第１観点に係る室外ユニットであって、高圧ガス配管は、分岐配管の分岐部分近傍が電装品アクセス開口近傍に位置するように、側板に沿って延びた部分を有している。
【００１３】
この室外ユニットでは、高圧ガス配管を側板の電装品アクセス開口近傍に沿わせるように配置したことで、電装品アクセス開口まで延びる分岐配管の長さを短くすることができる。このため、分岐配管に生じるうる振動の程度を小さく抑えることが可能になる。
【００１４】
第３観点に係る室外ユニットは、第２観点に係る室外ユニットであって、緩衝部材をさらに備えている。緩衝部材は、高圧ガス配管のうち側板に沿って延びた部分と側板との間に介在している。
【００１５】
この室外ユニットでは、高圧ガス配管の一部が側板に沿うように設けられている場合であっても、側板と高圧ガス配管との接触を抑制させることが可能になる。
【００１６】
第４観点に係る室外ユニットは、第１観点から第３観点のいずれかに係る室外ユニットであって、高圧ガス配管は、分岐配管の分岐部分近傍において水平方向に延びている部分を有している。分岐配管は、高圧ガス配管が水平方向に延びている部分の上壁から鉛直上方に向けて分岐して延びた鉛直配管部分を有している。
【００１７】
この室外ユニットでは、高圧ガス配管の水平方向に延びている部分の上壁から、分岐配管の鉛直配管部分が鉛直上方に分岐して、サービスポートまで延びている。このため、圧縮機の吐出冷媒の圧力の測定精度を高めることが可能になる。
【発明の効果】
【００１８】
第１観点に係る室外ユニットでは、室外ユニットの側板を取り外すことなく、室外熱交換器を通過する前の圧縮機の吐出冷媒の圧力を測定することが可能になり、電装品に対して冷凍機油等が飛散してしまうことを抑制することが可能になる。
【００１９】
第２観点に係る室外ユニットでは、分岐配管に生じるうる振動の程度を小さく抑えることが可能になる。
【００２０】
第３観点に係る室外ユニットでは、側板と高圧ガス配管との接触を抑制させることが可能になる。
【００２１】
第４観点に係る室外ユニットでは、圧縮機の吐出冷媒の圧力の測定精度を高めることが可能になる。
【図面の簡単な説明】
【００２２】
【図１】一実施形態に係る空気調和装置の構成の概要を示す回路図。
【図２】空調室外機の外観構成斜視図。
【図３】空調室外機の概略上面図。
【図４】冷媒回路に関するモリエル線図。
【図５】天板、側板、機械室側前板等を取り除いた空調室外機の右後方視斜視図。
【図６】カバーを取り除いた空調室外機の電装品アクセス開口周辺の右後方視斜視図。
【図７】カバーを取り除いた空調室外機の電装品アクセス開口周辺の右側面図。
【図８】室外ガス冷媒配管と分岐配管に緩衝部材が取り付けられている状態の概略斜視図。
【図９】サービスポートから冷凍機油が飛散する範囲の様子を示す説明図。
【発明を実施するための形態】
【００２３】
（１）空気調和装置１の全体構成
図１は、本発明の一実施形態に係る空気調和装置１の構成の概要を示す回路図である。
【００２４】
空気調和装置１は、蒸気圧縮式の冷凍サイクル運転を行うことによって空調室内機９０が設置されている建物内の冷暖房に使用される装置であり、熱源側ユニットとしての空調室外機２０と、利用側ユニットとしての空調室内機９０とがガス冷媒連絡配管２と液冷媒連絡配管３を介して接続されることで構成されている。
【００２５】
冷媒回路１０は、空調室外機２０と空調室内機９０とガス冷媒連絡配管２と液冷媒連絡配管３とが接続され、バイパス回路５０を有して構成されている。この冷媒回路１０は、気液分離器２２、圧縮機２４、四路切換弁２６、室外熱交換器２８、室外膨張弁３１、受液器３３、室外膨張弁９１、室外熱交換器９３、バイパス回路５０などが冷媒配管で接続されることで構成されている。この冷媒回路１０内には冷媒が封入されており、冷媒が圧縮され、冷却され、減圧され、加熱・蒸発された後に、再び圧縮されるという冷凍サイクル運転が行われるようになっている。冷媒としては、例えば、Ｒ４１０Ａ、Ｒ３２、Ｒ４０７Ｃ、Ｒ２２、Ｒ１３４ａ、二酸化炭素などから選択されたものが用いられる。
【００２６】
（２）空気調和装置１の詳細構成
（２−１）空調室内機９０
空調室内機９０は、室内の壁面に壁掛け等により、又は、ビル等の室内の天井に埋め込みや吊り下げ等により設置される。空調室内機９０は、室内膨張弁９１と、室内熱交換器９３と、室内ファン９４と、を有している。室内熱交換器９３は、例えば伝熱管と多数のフィンとにより構成されたクロスフィン式のフィン・アンド・チューブ型熱交換器であり、冷房運転時には冷媒の蒸発器として機能して室内空気を冷却し、暖房運転時には冷媒の凝縮器として機能して室内空気を加熱する熱交換器である。室内膨張弁９１と室内熱交換器９３とは、室内冷媒配管９２を介して接続されている。この室内膨張弁９１の室内冷媒配管９２側とは反対側には、液冷媒連絡配管３が接続されている。室内ファン９４は、室内熱交換器９３に供給する空気の風量を可変することが可能なファンであり、ファン風量を調節するための室内ファンモータ９４ｍが設けられている。
【００２７】
（２−２）空調室外機２０
空調室外機２０は、ビル等の室外に設置されており、ガス冷媒連絡配管２と液冷媒連絡配管３を介して空調室内機９０に接続される。
【００２８】
空調室外機２０は、空調室外機２０は、図２および図３に示されているように、略直方体状のユニットケーシング７０を有している。
【００２９】
図３に示されているように、空調室外機２０は、ユニットケーシング７０の内部空間を鉛直方向に延びる仕切板７８で二つに分割することによって送風機室Ｓ１と機械室Ｓ２とを形成した構造（いわゆる、トランク型構造）を有するものである。空調室外機２０は、ユニットケーシング７０の送風機室Ｓ１内に配置された室外熱交換器２８および室外ファン２９を有しており、ユニットケーシング７０の機械室Ｓ２内に配置された気液分離器２２、圧縮機２４、四路切換弁２６、室外膨張弁３１、受液器３３、バイパス回路５０、電装品７等を有している。
【００３０】
ユニットケーシング７０は、底板７２と、天板７１と、送風機室側の側板７３と、機械室側の側板７４と、送風機室側前板７５と、機械室側前板７６とを備えて、略直方体形状の筐体を構成している。機械室側前板７６は、ユニットケーシング７０の前面部分の右側角部分を含んで構成されている。側板７４は、ユニットケーシング７０の右側面部分のうち機械室側前板７６の後側の部分を覆いつつ、背面部分の右側角部を含んで構成されている。側板７４には、電装品７の収容位置に対応した位置に、板厚方向である左右方向に開口した電装品アクセス開口７４ａを有している。また、側板７４は、この電装品アクセス開口７４ａを覆うためのカバー７４ｂを有している。
【００３１】
空調室外機２０は、ユニットケーシング７０の背面および側面の一部からユニットケーシング７０内の送風機室Ｓ１に室外空気を吸い込んで、吸い込んだ室外空気をユニットケーシング７０の前面から吹き出すように構成されている。具体的には、ユニットケーシング７０内の送風機室Ｓ１に対する吸入口７０ａおよび吸込口７０ｂが、送風機室側の側板７３の背面側の端部と機械室側の側板７４の送風機室Ｓ１側の端部とにわたって形成されている。また、吹出口７０ｃは、送風機室側前板７５に設けられており、その前側がファングリル７５ａによって覆われている。
【００３２】
気液分離器２２は、冷媒を気相と液相とに分ける気液分離機能を備えている。気液分離器２２に流入する冷媒は、液相と気相とに分かれ、上部空間に集まる気相の冷媒が圧縮機２４へと供給されることになる。四路切換弁２６が有する４つの接続ポートのうちの１つである第１ポートから延び出した室外低圧ガス冷媒配管２１の端部が容器内部まで延びるようにして設けられている。また、気液分離器２２の内部のうち上方部分からは、吸入冷媒配管２３が延び出しており、圧縮機２４の吸入側に接続されている。
【００３３】
圧縮機２４は、例えば圧縮機用モータによって駆動される密閉式圧縮機であり、インバータ制御によって運転容量を変化させることができるよう構成されている。圧縮機２４から吐出した冷媒は、吐出冷媒配管２５を介して四路切換弁２６の４つの接続ポートのうちの１つである第３ポートに接続されている。なお、ガス冷媒連絡配管２の空調室外機２０側の端部は、四路切換弁２６の４つの接続ポートのうちの１つである第２ポートに接続されている。四路切換弁２６の４つの接続ポートのうちの１つである第４ポートからは、高圧ガス配管である室外ガス冷媒配管２７が延び出しており、室外熱交換器２８の一端に接続されている。また、ガス冷媒連絡配管２の途中には、空調室外機２０のガス側の端部において、ガス閉鎖弁２ａが設けられている。液冷媒連絡配管３の途中には、空調室外機２０の液側の端部において、液閉鎖弁３ａが設けられている。このガス閉鎖弁２ａおよび液閉鎖弁３ａは、空調室外機２０における下方、具体的には、ユニットケーシング７０の側板１４の下方近傍に位置している。
【００３４】
この室外ガス冷媒配管２７からは、鉛直配管部分８１と傾斜配管部分８２とサービスポート８３を有する分岐配管８０が延び出している。この分岐配管８０の構造の詳細については、後述する。
【００３５】
四路切換弁２６は、冷媒の流れの方向を切り換えるための機構である。冷房運転時には、四路切換弁２６は、圧縮機２４の吐出側の吐出冷媒配管２５と室外熱交換器２８の一端（ガス側端部）から延びる室外ガス冷媒配管２７とを接続するとともに、気液分離器２２を介してガス冷媒連絡配管２と圧縮機２４の吸入側の吸入冷媒配管２３とを接続する（図１の四路切換弁２６の実線を参照）。また、暖房運転時には、四路切換弁２６は、圧縮機２４の吐出側の吐出冷媒配管２５とガス冷媒連絡配管２とを接続するとともに、気液分離器２２を介して圧縮機２４の吸入側の吸入冷媒配管２３と室外熱交換器２８の一端（ガス側端部）から延びる室外ガス冷媒配管２７とを接続する（図１の四路切換弁２６の破線を参照）。
【００３６】
室外熱交換器２８は、一端（ガス側端部）が、室外ガス冷媒配管２７を介して四路切換弁２６と接続されている。また、室外熱交換器２８の他端（液側端部）は、第１室外液冷媒配管３０を介して室外膨張弁３１と接続されている。
【００３７】
室外膨張弁３１は、第１室外液冷媒配管３０側とは反対側において、第２室外液冷媒配管３２を介して、受液器３３が接続されている。室外膨張弁３１は、冷媒回路において冷媒を減圧するための機構であり、開度調整が可能な電動弁であり、冷媒圧力や冷媒流量の調節を行う。
【００３８】
受液器３３は、内部空間に冷媒を蓄えることができ、冷媒回路１０における余剰冷媒を吸収する機能を有している。第２室外液冷媒配管３２の室外膨張弁３１側とは反対側の端部は、この受液器３３の内部空間の下方まで伸びている。また、受液器３３の内部空間の下方からは、液冷媒連絡配管３が延び出している。液冷媒連絡配管３は、室内膨張弁９１と接続されている。また、受液器３３の内部空間の上方からは、バイパス回路５０のバイパス冷媒配管５１が延び出している。
【００３９】
バイパス回路５０は、受液器３３と気液分離器２２の上流側の室外低圧ガス冷媒配管２１とを接続するように設けられており、バイパス冷媒配管５１、バイパス開閉弁５２、キャピラリーチューブ６０を有している。バイパス冷媒配管５１は、受液器３３の内部空間の上方から延び出しており、バイパス開閉弁５２を介して、合流点Ｐにおいて、室外低圧ガス冷媒配管２１と接続されている。バイパス回路５０には、バイパス開閉弁５２が開けられることで、受液器３３の内部空間の上方の冷媒をキャピラリーチューブ６０を介して室外低圧ガス冷媒配管２１に送ることができるようになっている。
【００４０】
室外ファン２９は、送風機室に室外熱交換器２８に対向して配置され、室外熱交換器２８を流れる冷媒との間で熱交換をさせるための室外空気を、室外熱交換器２８に対して供給する。室外ファン２９は、室外熱交換器２８に供給する空気の風量を可変することが可能なファンであり、ファン風量を調節するための室外ファンモータ２９ｍが設けられている。
【００４１】
電装品７は、制御基板や端子台等を有している。この電装品７は、空調室外機２０の圧縮機２４の容量制御、室外ファン２９の風量制御、バイパス開閉弁５２の開閉制御、室外膨張弁３１の弁開度調節制御、四路切換弁２６の接続状態の切換等を実行することができる。
【００４２】
（３）空気調和装置１の動作
（３−１）冷房運転
冷房運転時は、四路切換弁２６が図１の実線で示される状態、すなわち、圧縮機２４の吐出側が室外ガス冷媒配管２７を介して室外熱交換器２８のガス側に接続され、かつ、圧縮機２４の吸入側が気液分離器２２、ガス冷媒連絡配管２を介して室内熱交換器９３のガス側に対して接続された状態となっている。室外膨張弁３１は、通過する冷媒の圧力を高圧から中間圧力まで減圧させる。室内膨張弁９１は、通過する冷媒の圧力を中間圧力から低圧まで減圧させる。
【００４３】
この冷媒回路１０の接続状態で、圧縮機２４、室外ファン２９および室内ファン９４を運転すると、図４のモリエル線図に示すように、冷凍サイクルが行われる（なお、図１の冷媒回路１０における記号Ａ、Ｂ、Ｃ、Ｄ、Ｅ、Ｆ、Ｇ、Ｈは、ぞれぞれ、図４のモリエル線図における同記号に対応している。）。
【００４４】
すなわち、低圧のガス冷媒は、圧縮機２４で圧縮されることで高圧のガス冷媒となる。この高圧のガス冷媒は、四路切換弁２６を経由して室外熱交換器２８に送られる。その後、高圧のガス冷媒は、室外熱交換器２８において、室外ファン２９によって供給される室外空気と熱交換を行って凝縮して高圧の液冷媒となる。そして、過冷却状態になった高圧の液冷媒は、室外熱交換器２８から室外膨張弁３１に送られる。室外膨張弁３１によって中間圧力まで減圧され、気液二相状態となった冷媒は、受液器３３に流入する。受液器３３における液冷媒は、液冷媒連絡配管３を介して室内膨張弁９１まで供給され、室内膨張弁９１において中間圧力から圧縮機２４の吸入圧力近くまで減圧されて低圧の気液二相状態となる。その後、冷媒は、室内熱交換器９３に送られ、室内熱交換器９３において室内空気と熱交換を行って蒸発して低圧のガス冷媒となる。
【００４５】
この低圧のガス冷媒は、ガス冷媒連絡配管２を経由して空調室外機２０に送られ、再び、圧縮機２４に吸入される。このように冷房運転では、空気調和装置１は、室外熱交換器２８を圧縮機２４において圧縮される冷媒の凝縮器として、かつ、室内熱交換器９３を室外熱交換器２８において凝縮された冷媒の蒸発器として機能させる。
【００４６】
なお、受液器３３の内部空間のうち上方のガス状態の冷媒を多く含んだ冷媒は、バイパス開閉弁５２が開けられている状態では、バイパス回路５０を介して、気液分離器２２の上流側の室外低圧ガス冷媒配管２１の途中まで導かれる。ここで、受液器３３から流出した冷媒は、バイパス冷媒配管５１、バイパス開閉弁５２、キャピラリーチューブ６０をこの順に通過する。ここで、キャピラリーチューブ６０を通過する際に、冷媒は、中間圧力から低圧まで減圧される。
【００４７】
（３−２）暖房運転
暖房運転時は、四路切換弁２６が図１の破線で示される状態、すなわち、圧縮機２４の吐出側がガス冷媒連絡配管２を介して室内熱交換器９３のガス側に接続され、かつ、圧縮機２４の吸入側が室外ガス冷媒配管２７を介して室外熱交換器２８のガス側に接続された状態となっている。室内膨張弁９１は、通過する冷媒の圧力を高圧から中間圧力まで減圧させる。室外膨張弁３１は、通過する冷媒の圧力を中間圧力から低圧まで減圧させる。
【００４８】
この冷媒回路１０の接続状態で、圧縮機２４、室外ファン２９および室内ファン９４を運転すると、低圧のガス冷媒は、圧縮機２４に吸入されて圧縮されて高圧のガス冷媒となり、四路切換弁２６、および、ガス冷媒連絡配管２を経由して、空調室内機９０に送られる。なお、暖房運転時のモリエル線図は、省略する。
【００４９】
空調室内機９０に送られた高圧のガス冷媒は、室内熱交換器９３において、室内空気と熱交換を行って凝縮して高圧の液冷媒となった後、室内膨張弁９１を通過する際に、室内膨張弁９１の弁開度に応じて減圧され、高圧から中間圧力となる。この室内膨張弁９１を通過して減圧された冷媒は、気液二相状態となって、液冷媒連絡配管３を通過して受液器３３に流入する。受液器３３における液冷媒は、第２室外液冷媒配管３２を介して室外膨張弁３１まで供給され、室外膨張弁３１において中間圧力から圧縮機２４の吸入圧力近くまで減圧されて低圧の気液二相状態となる。その後、冷媒は、室外熱交換器２８に流入する。室外熱交換器２８に流入した低圧の気液二相状態の冷媒は、室外ファン２９によって供給される室外空気と熱交換を行って蒸発して低圧のガス冷媒となり、四路切換弁２６を経由して、再び、圧縮機２４に吸入される。このように暖房運転では、空気調和装置１は、室内熱交換器９３を圧縮機２４において圧縮される冷媒の凝縮器として、かつ、室外熱交換器２８を室内熱交換器９３において凝縮された冷媒の蒸発器として機能させる。
【００５０】
なお、受液器３３の内部空間のうち上方のガス状態の冷媒を多く含んだ冷媒は、バイパス開閉弁５２が開けられている状態では、バイパス回路５０を介して、気液分離器２２の上流側の室外低圧ガス冷媒配管２１の途中まで導かれる。ここで、受液器３３から流出した冷媒は、バイパス冷媒配管５１、バイパス開閉弁５２、キャピラリーチューブ６０をこの順に通過する。ここで、キャピラリーチューブ６０を通過する際に、冷媒は、中間圧力から低圧まで減圧される。
【００５１】
（４）室外ガス冷媒配管２７
図５に、天板７１、側板７４、機械室側前板７６等を取り除いた空調室外機２０の右後方視斜視図を示す。図６に、カバー７４ｂを取り除いた空調室外機２０の電装品アクセス開口７４ａ周辺の右後方視斜視図を示す。図７に、カバー７４ｂを取り除いた空調室外機２０の電装品アクセス開口７４ａ周辺の右側面図を示す。図８に、室外ガス冷媒配管２７と分岐配管８０に緩衝部材８８が取り付けられている状態の概略斜視図を示す。
【００５２】
室外ガス冷媒配管２７は、図５に示すように、空調室外機２０の右上方に配置されている。
【００５３】
室外ガス冷媒配管２７は、図８に示すように、四路切換弁２６の１つのポートから下方に向けて降下した後、ユニットケーシング７０の側板１４の直前まで側板１４に近づくように延びている。
【００５４】
その後、室外ガス冷媒配管２７は、側板１４に沿うように上方に向けて延びた後、側板１４に沿うように水平方向後方に向けて延びた水平配管部分２７ａへと繋がっている。
【００５５】
水平配管部分２７ａの後方端部は、さらに上方に延びた後、室外熱交換器２８のガス側の端部まで延びている。
【００５６】
このようにして、室外ガス冷媒配管２７は、四路切換弁２６の１つのポートと室外熱交換器２８のガス側端部とを接続しつつ、その途中の部分においてユニットケーシング７０の側板１４に沿うように配置された部分を有している。
【００５７】
（５）分岐配管８０
分岐配管８０は、図８に示すように、鉛直配管部分８１、傾斜配管部分８２、および、サービスポート８３を有している。
【００５８】
鉛直配管部分８１は、室外ガス冷媒配管２７の水平配管部分２７ａの途中の上壁から鉛直方向上方に向けて分岐するように延びている。具体的には、図６に示すように、鉛直配管部分８１は、ユニットケーシング７０の側板１４の電装品アクセス開口７４ａの前側の縁分よりもさらに前側近傍を鉛直方向上方に向けて延びている。
【００５９】
傾斜配管部分８２は、鉛直配管部分８１の上端近傍から、ユニットケーシング７０の側板１４側であって、後方で、かつ、下方に向けて延びている。具体的には、図７に示すように、傾斜配管部分８２は、ユニットケーシング７０の側板１４の電装品アクセス開口７４ａの前側の縁部よりもさらに前側から、電装品アクセス開口７４ａの前側の縁部よりも後側に至るまで延びている。
【００６０】
サービスポート８３は、図５〜図８に示すように、傾斜配管部分８２の先端に設けられており、サービス開口８３ａおよびサービスキャップ８３ｂを有している。サービスポート８３は、側面視において（電装品アクセス開口７４ａの外側から内側を見た場合に）、電装品アクセス開口７４ａの開口の枠内であって、電装品７よりも手前側（外側）に位置している。サービスキャップ８３ｂは、図５〜図８において、実線で示しているナット形状部材である。サービス開口８３ａは、図８において点線で示している傾斜配管部分８２の先端において長手方向に連通した開口である。このサービス開口８３ａは、電装品７側の向きとは異なる外側であって、且つ、斜め下方を向いて開口しており、電装品７側に向けては開口していない。サービス開口８３ａは、通常時は、サービスキャップ８３ｂが取り付けられることで閉止されている。また、メンテナンス時等には、サービスキャップ８３ｂが取り外されて、サービス開口８３ａに対して、圧力計や冷媒追加充填用の冷媒タンク等が接続される。サービスポート８３は、図７に示すように、側面視においてユニットケーシング７０の側板１４の電装品アクセス開口７４ａの枠内に位置しており、側板１４のカバー７４ｂを取り外すことで容易にアクセスできるようになっている。
【００６１】
（６）緩衝部材８８
緩衝部材８８は、図８において点線で示すように、室外ガス冷媒配管２７の水平配管部分２７ａ、および、分岐配管８０の鉛直配管部分８１を、それぞれ周囲から覆うように設けられている。
【００６２】
緩衝部材８８は、室外ガス冷媒配管２７の水平配管部分２７ａおよび分岐配管８０の鉛直配管部分８１と、ユニットケーシング７０の側板１４の内側面と、の間に介在しており、互いの衝突を和らげることが可能になっている。
【００６３】
緩衝部材８８の具体的成分は、室外ガス冷媒配管２７の水平配管部分２７ａおよび分岐配管８０の鉛直配管部分８１の、ユニットケーシング７０の側板１４との衝突を和らげることができるものであれば特に限定されず、例えば、ウレタンフォーム加工品等を用いてもよい。
【００６４】
（７）特徴
（７−１）
本実施形態では、圧力計等を接続可能なサービスポート８３を有する分岐配管８０は、四路切換弁２６から室外熱交換器２８のガス側端部まで延びている室外ガス冷媒配管２７の一部から分岐するように設けられている。このため、冷房運転時において、サービスポート８３を用いて圧縮機２４から吐出される冷媒の圧力であって室外熱交換器２８を通過する前の冷媒の圧力を測定することが可能になっている。
【００６５】
また、サービスポート８３には、室外ガス冷媒配管２７の水平配管部分２７ａの上壁から分岐して鉛直方向上方に向けて延びている鉛直配管部分８１を介して、室外ガス冷媒配管２７内を流れる冷媒の圧力が作用することになる。このため、冷房運転時において、圧縮機２４から吐出される冷媒の圧力をより正確に測定することが可能になっている。
【００６６】
また、サービスポート８３を用いた吐出圧力の測定や冷媒の追加充填等の作業を行う場合には、側板１４に設けられた電装品アクセス開口７４ａを介して、サービスポート８３に容易にアクセスすることができ、ユニットケーシング７０の側板７４全体を取り外す必要が無い。このため、ユニットケーシング７０の側板７４を取り外すことなく、室外熱交換器２８を通過する前の圧縮機２４の吐出冷媒の圧力を正確に測定することが可能になっている。
【００６７】
また、サービスポート８３にアクセスするための開口として、電装品７にアクセスするための開口である電装品アクセス開口７４ａを流用しているため、サービスポート８３用の開口を別途設ける必要を無くすることができている。
【００６８】
（７−２）
本実施形態では、室外ガス冷媒配管２７を側板７４に近づけつつ、側板７４の電装品アクセス開口７４ａ近傍に沿わせるように配置したことで、電装品アクセス開口７４ａ内まで到達させるのに必要な分岐配管８０の全長を短くすることができている。
【００６９】
このため、分岐配管８０に圧縮機２４が駆動した場合に生じうる圧力脈動が作用したとしても、その振動の程度を小さく抑えることが可能になっている。
【００７０】
（７−３）
本実施形態では、緩衝部材８８が、室外ガス冷媒配管２７の水平配管部分２７ａおよび分岐配管８０の鉛直配管部分８１と、ユニットケーシング７０の側板１４の内側面と、の間に介在している。
【００７１】
このため、分岐配管８０の全長を短くさせるために室外ガス冷媒配管２７の一部が側板７４の近くで側板７４に沿うように配置されている場合であっても、室外ガス冷媒配管２７と側板７４との衝突を抑制させることが可能になっている。また、室外ガス冷媒配管２７の水平配管部分２７ａから側板７４の面に沿うように鉛直方向に延びている分岐配管８０の鉛直配管部分８１についても、側板７４との衝突を抑制させることが可能になっている。
【００７２】
また、圧縮機２４が駆動した場合に生じうる圧力脈動が室外ガス冷媒配管２７の水平配管部分２７ａおよび分岐配管８０の鉛直配管部分８１に作用したとしても、側板７４との衝突を抑制することが可能になっている。また、輸送振動についても同様である。
【００７３】
（７−４）
本実施形態では、サービスポート８３のサービス開口８３ａは、電装品アクセス開口７４ａの外側の向きであって且つ斜め下方の向きに向けて開口しており、電装品７側に向けては開口していない。このため、サービスポート８３を利用して作業を行う時に、サービス開口８３ａから冷凍機油が飛散することがあっても、図９に示すように、冷凍機油は、電装品７に向けては飛散しにくい。すなわち、サービス開口８３ａは、電装品アクセス開口７４ａの外側の向きに開口していることで、電装品７から離れる方向に向けて冷凍機油を飛散させることができる。しかも、サービス開口８３ａが斜め下方を向いて開口しているため、上方に舞い上がった冷凍機油が自重で落下して電装品７にかかるようなことも生じにくい。このため、電装品７に冷凍機油が付着することを抑制することが可能になっている。
【００７４】
（８）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【００７５】
（８−１）他の実施形態Ａ
上記実施形態では、図８に示すように、緩衝部材８８が、室外ガス冷媒配管２７の水平配管部分２７ａおよび分岐配管８０の鉛直配管部分８１の周囲全体を取り巻くように設けられている場合を例に挙げて説明した。
【００７６】
しかし、本発明はこれに限られるものではなく、例えば、緩衝部材８８は、室外ガス冷媒配管２７の水平配管部分２７ａおよび分岐配管８０の鉛直配管部分８１と、ユニットケーシング７０の側板１４との間にのみ設けられていてもよい。
【符号の説明】
【００７７】
１  空気調和装置
７  電装品
１０  冷媒回路
２０  空調室外機（室外ユニット）
２４  圧縮機
２７  室外ガス冷媒配管（高圧ガス配管）
２７ａ  水平配管部分（水平方向に延びている部分）
２８  室外熱交換器
３１  室外膨張弁
７０  ユニットケーシング
７４  側板
７４ａ  電装品アクセス開口
７４ｂ  カバー
７８  仕切板
８０  分岐配管
８１  鉛直配管部分
８２  傾斜配管部分
８３  サービスポート
８３ａ  サービス開口（開口した部分）
８３ｂ  サービスキャップ
８８  緩衝部材
９０  空調室内機（室内ユニット）
Ｓ１  送風機室
Ｓ２  機械室
【先行技術文献】
【特許文献】
【００７８】
【特許文献１】特開２００８−２９８３４４号公報
【図１】
0005900457.tif 000002
【図２】
0005900457.tif 000003
【図３】
0005900457.tif 000004
【図４】
0005900457.tif 000005
【図５】
0005900457.tif 000006
【図６】
0005900457.tif 000007
【図７】
0005900457.tif 000008
【図８】
0005900457.tif 000009
【図９】
0005900457.tif 000010